(57)【要約】【課題】簡素な構造によって対象物の傾斜角度の調整機構の簡略化を達成し、かつ、組み付け作業を簡略化すると共に、部品点数を削減して製造コストを低減し、軽量化かつ小型化することが可能な保持台を提供することを課題とする。【解決手段】本実施形態に係る保持台１は、一枚の板状部材を加工してなり、表側保持部２と、裏側保持部３と、空洞部４と、前側連続部５と、後側連続部６と、表側壁部８と裏側壁部８からなる壁部７と、を主に有して構成される。保持台１は、前端側１ａよりも後端側１ｂの厚さ寸法が大きく形成される。また、表側壁部８の突出量ｈ１を、裏側壁部９の突出量ｈ２よりも大きくした。【選択図】図１
2009212462.tif 000002
【特許請求の範囲】
【請求項１】
対象物を傾斜した状態で保持する保持台であって、
前記保持台は、前端側よりも後端側の厚さ寸法を大きく形成し、
前記前端側は、表裏両面にそれぞれ突出する壁部を含み、
裏側に形成された壁部よりも表側に形成された壁部の突出量を大きくした
ことを特徴とする保持台。
【請求項２】
前記後端側に、左右方向に連続する空洞部を形成した
ことを特徴とする請求項１に記載の保持台。
【請求項３】
前記保持台は、一枚の板状部材を加工してなり、
前記保持台の前後方向に複数延在し、その後端側を表側に向かって突出させた表側凸部を有する帯状部材からなる表側保持部と、
前記表側保持部と平行方向に交互に複数延在し、その後端側を裏側に向かって突出させた裏側凸部を有する帯状部材からなる裏側保持部と、
前記保持台の左右方向に延在し、その前端側に前記壁部が突出形成され、その後端側に前記表側保持部の前端部と前記裏側保持部の前端部がそれぞれ連結される前側連続部と、
前記保持台の左右方向に延在し、その前端側に前記表側保持部の後端部と前記裏側保持部の後端部がそれぞれ連結される後側連続部と、を有する
ことを特徴とする請求項１または請求項２に記載の保持台。
【請求項４】
前記壁部は、
前記前側連結部の前端側に複数の舌片を設け、前記複数の舌片の一部を表側に折り曲げるとともに、前記複数の舌片の他部を裏側に折り曲げることにより形成した
ことを特徴とする請求項３に記載の保持台。
【請求項５】
前記保持台の周囲を合成樹脂部材で被覆した
ことを特徴とする請求項１から請求項４のいずれか一項に記載の保持台。
【発明の詳細な説明】
【技術分野】
【０００１】
本発明は、ノートパソコンや電子辞書等を使用したり、本等を閲覧したりする際に、これら対象物を傾斜した状態で保持するための保持台に関する。
【背景技術】
【０００２】
近年、情報化社会の進展に伴い、携帯型電子機器が広く普及している。例えば、ノートパソコンは、軽量で薄くコンパクトであるため、携帯して容易に移動させることができ、使用場所を限らず任意にオフィスや自宅のデスクや車中等で使用することができる点で利便性が高い。
【０００３】
ここで、ノートパソコンのキーボード本体は、人体工学上、使用時に適度な傾斜角を有していると、操作性が良好となり、使用者の手や腕へ負担を抑えることができるため好ましい。具体的には、使用者に対して奥側から手前側に向かって徐々にキーボード本体のキートップの位置が低くなるような階段状に配置されると好ましい。しかし、ノートパソコンをデスク上で使用する場合、キーボードがデスクと水平に配置されるため、人体工学上好ましい傾斜角を得ることができず、長時間続けて使用することによる使用者の手や腕への負担が大きかった。
【０００４】
さらに、車中等でノートパソコンを使用者の膝の上に置いて使用する場合には、前記した問題に加え、ノートパソコンの姿勢を安定させることが困難であり、作業がしづらかった。また、ノートパソコンの発する熱が直接、使用者の膝に伝わることにより、不快感を与えていた。
【０００５】
このような問題点を解消するため、従来、ノートパソコンを使用する際に、当該ノートパソコンを載置するためのノートパソコン用作業台が種々開発されている。ここで、図７は、従来のノートパソコン用作業台を示す斜視図、図８（ａ）は、他の従来のノートパソコン用作業台を示す斜視図、（ｂ）は、（ａ）の内部構造を示す側断面図である。
【０００６】
例えば、特許文献１には、図７に示すように、ノートパソコン１２０の底面部（図示せず）に合わせた形状で、穴や溝又はリブ形状等により通気部１０２を形成する板材１０１からなり、板材１０１の少なくとも一面には、ノートパソコン１２０の底面部（図示せず）に貼り付け固定するための係着材１０３，１０３が板材１０１の左右に配置されたノートパソコン用作業台１００が開示されている。これによれば、使用者の膝に熱が直接伝わることを防止し、また、通気部１０２を介してノートパソコン１２０の放熱が可能となる。
【０００７】
特許文献２には、図８（ａ）に示すように、底板１１１と表面に放熱孔１１３を設けたパネル１１２からなり、底板１１１とパネル１１２の前側を蝶番１１４で連結し、底板１１１とパネル１１２の後側には駆動モータ（図示せず）により駆動するパネル昇降装置１１６を設け、底板１１１とパネル１１２間の左右両側には伸縮式保護壁１１７，１１８を設け、パネル１１２の前側には上向きに湾曲するガード板１１９を設けたノートパソコン作業台１１０が開示されている。これによれば、パネル昇降装置１１６によりパネル１１２の後側を昇降させることで、パネル１１２に載置されるノートパソコン１２０のキーボード本体の傾斜角度が調節可能となると共に、放熱孔１１３によりノートパソコン１２０の放熱が可能となる。また、ガード板１１９を有するため、使用時に、保持台上でのノートパソコン１２０の姿勢を安定させることができる。
【０００８】
また例えば、デスク上で読書をしようとする場合、本をデスクと水平に置くと、読者は、前傾姿勢にならざるを得なかった。このような不自然な姿勢で長時間読書を続けることは、身体への負担が大きく、また、視力低下の一因ともなっていた。また、読者自身が本を手で持って手前側に傾けることもできるが、長時間続けることによる手や腕への負担が大きかった。
【０００９】
このような問題を解決するため、特許文献３には、本をのせるパネルを目の高さ付近に調節し、支持できるようにした卓上型読書スタンドが開示されている。
【特許文献１】実用新案登録第３１２７２９２号公報
【特許文献２】実用新案登録第３１２５６９５号公報
【特許文献３】特開２０００−０１４４５５号公報
【発明の開示】
【発明が解決しようとする課題】
【００１０】
しかしながら、特許文献１に開示されたノートパソコン用作業台１００では、ノートパソコン１２０のキーボード本体を傾斜させることができない。また、ノートパソコン１２０の底面と板材１０１の上面を貼り付けるための係着材１０３が別途必要となってしまう。さらに、板材１０１の底面は平坦であるため、ノートパソコン用作業台１００を膝の上やデスクの上等の設置面（図示せず）上に置いて使用すると、板材１０１と設置面（図示せず）との間にノートパソコン１２０の熱がこもってしまう。
【００１１】
また、特許文献２に開示されたノートパソコン用作業台１１０では、図８（ｂ）に示すように、ノートパソコン１２０のキーボード本体の傾斜角度を調整するための複雑な機構を内部に配置することで、装置全体の構造が複雑となり、製造する際の負担が大きくなると共に、部品点数が増大して製造コストが高騰してしまう。また、装置全体が大型となり、重量が重くなってしまう。
【００１２】
さらに、特許文献３に開示された卓上型読書スタンドでは、複数の部材により構成されるため、製造する際の負担が大きくなると共に、部品点数が増大して製造コストが高騰してしまう。また、大型であるため、置き場所をとってしまう。
【００１３】
本発明は、前記した問題等に鑑みてなされたものであり、第一の目的は、簡素な構造によって対象物の傾斜角度の調整の簡略化を達成することにある。また、本発明の第二の目的は、製造する際の負担を軽減すると共に、部品点数を削減して製造コストを低減し、軽量化かつ小型化することが可能な保持台を提供することにある。
【課題を解決するための手段】
【００１４】
前記課題を解決した本発明は、対象物を傾斜した状態で保持する保持台であって、前記保持台は、前端側よりも後端側の厚さ寸法が大きく形成され、前記前端側は、表裏両面にそれぞれ突出する壁部を含み、裏側に形成された壁部よりも表側に形成された壁部の突出量を大きくしたことを特徴とする。
【００１５】
本発明の保持台によれば、前端側よりも後端側の厚さ寸法を大きく形成したため、保持台の表側と裏側のいずれを下にして設置面に置いたとしても、必ず、前端側よりも後端側の高さを高くすることができる。また、本発明の保持台によれば、前記した構成に加え、裏側に形成された壁部よりも表側に形成された壁部の突出量を大きくしている。そのため、保持台の裏側を下向きにして設置面に置いたときと、保持台の表側を下向きにして設置面に置いたときとで、設置面に対する保持台の傾斜角度を変えることができる。このため、対象物を保持台の表側で保持するときと、裏側で保持するときとで、設置面に対する当該対象物の傾斜角度を変えることができる。また、このとき、傾斜した状態の対象物には、前方へ移動しようとする力が働くが、保持台の前端側には、壁部が突出形成されるため、対象物が保持される側の壁部が対象物の前端側と当接して、対象物が前方へ移動しないよう制止することができる。これにより、対象物が保持台から滑り落ちることを防止することができる。
【００１６】
ここで、保持台の前端側とは、保持台を前後に二分したときの、保持台の略中央部から前端部までをいう。一方、保持台の後端側とは、保持台を前後に二分したときの、保持台の略中央部から後端部までをいう。
【００１７】
このように、保持台の表裏両面に突出形成した壁部の突出量を変えるという簡素な構造によって、対象物の傾斜角度の調整の簡略化を達成することができる。このため、対象物の種類や使用場所・使用状況の変化に応じて、保持台の表裏両面を使い分けることができ、利便性を向上させることができる。
【００１８】
このような本発明の保持台に、例えば、ノートパソコンを載置した場合、キーボード本体のキートップの位置を、保持台の傾斜に沿って、使用者の奥側から手前側に向かって徐々に低くなる階段状に配置することができる。このため、使用者の指によるキーボード本体の各種入力キーの押し下げ作業が楽となり、入力操作を容易に、かつ、効率良く行うことができる。
【００１９】
また、本発明に係る保持台において、前記後端側に、左右方向に連続する空洞部を形成しても良い。
【００２０】
これによれば、空洞部内に、対象物の使用に供するものを収納することができる。また、当該空洞部から、対象物が発する熱の放熱を図ることができる。
【００２１】
また、前記保持台は、一枚の板状部材を加工してなり、前記保持台の前後方向に複数延在し、その後端側を表側に向かって突出させた表側凸部を有する帯状部材からなる表側保持部と、前記表側保持部と平行方向に交互に複数延在し、その後端側を裏側に向かって突出させた裏側凸部を有する帯状部材からなる裏側保持部と、前記保持台の左右方向に延在し、その前端部に前記壁部が突出形成され、その後端部に前記表側保持部の前端部と前記裏側保持部の前端部がそれぞれ連結される前側連続部と、前記保持台の左右方向に延在し、その前端部に前記表側保持部の後端部と前記裏側保持部の後端部がそれぞれ連結される後側連続部と、を有して構成されていても良い。
【００２２】
これによれば、一枚の板状部材を加工することにより保持台を製造することができるため、構成を簡素化することができ、製造する際の負担を軽減ことができる。また、保持台を軽量かつ小型化することができると共に、部品点数を削減し製造コストを低減することができる。
【００２３】
また、前記壁部は、前記前側連続部の前端部に複数の舌片を設け、前記複数の舌片の一部を表側に折り曲げるとともに、前記複数の舌片の他部を裏側に折り曲げることにより形成しても良い。
【００２４】
これによれば、前側連続部の前端部に複数の舌片を設け、この複数の舌片を表側または裏側に単に折り曲げるという簡素な構造で壁部を構成することができるため、製造する際の負担を軽減すると共に、部品点数を削減して製造コストを低減することができる。
【００２５】
また、請求項１から請求項４のいずれか一項に記載の保持台において、前記保持台本体の周囲を合成樹脂部材で被覆してもよい。
【００２６】
これによれば、合成樹脂部材の粘着力により、使用時に保持台上での対象物のがたつきを防止し、対象物を傾斜した状態でも姿勢を安定させて保持することができる。
【発明の効果】
【００２７】
本発明の保持台によれば、前端側よりも後端側の厚さ寸法を大きく形成し、前端側は、表裏両面にそれぞれ突出する壁部を含むため、保持台の表裏両面で対象物を保持することが可能となる。また、保持台の表側に向かって突出形成された壁部の突出量を裏側に向かって突出形成された壁部の突出量よりも大きくするという簡素な構造によって、保持台の表側で保持したときと裏側で保持したときとで、対象物の傾斜角度を変えることが可能となる。このように、対象物の傾斜角度の調整の簡略化を達成することができる。また、製造する際の負担を軽減すると共に、部品点数を削減して製造コストを低減することができるだけでなく、保持台を軽量化かつ小型化することができる。そのため、持ち運びが容易となり、また、省スペースを図ることができる。
【発明を実施するための最良の形態】
【００２８】
以下、本発明の実施形態について、適宜図面を参照しながら詳細に説明する。図１は、本実施形態に係る保持台の全体構成を示す斜視図、図２は、本実施形態に係る保持台の上面図、図３（ａ）は、本実施形態に係る保持台の側面図であり、（ｂ）は、図２におけるＡ−Ａ線断面図であり、（ｃ）は、図２におけるＢ−Ｂ線断面図である。なお、以下では、保持台の表裏、および、上下前後左右方向については、図面に示した通りとする。
【００２９】
図１に示すように、本実施形態に係る保持台１は、好ましくは、一枚の板状部材を加工してなる長矩形状部材であり、表側保持部２と、裏側保持部３と、空洞部４と、前側連続部５と、後側連続部６と、壁部７と、を主に有して構成されている。
【００３０】
表側保持部２は、保持台１の前後方向に複数延在する帯状部材であり、保持台１の左右方向に所定間隔を空けて配置されている。表側保持部２は、前端部２ａから後端部２ｂに向かうにつれて上方へ緩やかに傾斜し、その後端側には、保持台１の表側に向かって突出する円弧状の表側凸部２ｃが形成されている。
【００３１】
裏側保持部３は、保持台１の前後方向に複数延在する帯状部材であり、表側保持部２と平行方向に交互に配置されている。裏側保持部３は、前端部３ａから後端部３ｂに向かうにつれて下方へ緩やかに傾斜し、その後端側には、保持台１の裏側に向かって突出する円弧状の裏側凸部３ｃが形成され、表側凸部２ｃと共に保持台１の後端側１ｂに厚みを形成している。また、裏側凸部３ｃは、前後方向の位置が表側凸部２ｃと同じ位置に形成され、その突出量は、表側凸部２ｃの突出量と略同じとなっている。
【００３２】
図２に示すように、本実施形態では、表側保持部２と裏側保持部３の間には、保持台１の前後方向に延びる長尺状の貫通孔１０が複数設けられている。貫通孔１０は、表側保持部２と裏側保持部３と略同じ長さで形成されている。また、本実施形態では、複数の貫通孔１０のうち、保持台１の略中央部に位置する２つの貫通孔１０´，１０´は、他の貫通孔１０よりも幅広に形成されている。これにより、例えば、対象物（図示せず）の略中央部に発熱源があるような場合に、効率良く放熱することができる。なお、複数の貫通孔１０を全て同寸法で形成しても良いことはもちろんである。
【００３３】
再び図１に示すように、保持台１の後端側１ｂには、表側凸部２ｃと裏側凸部３ｃにより、空洞部４が形成される。
より詳しくは、保持台１の後端側１ｂにおいて、表側凸部２ｃと裏側凸部３ｃが左右方向に交互に形成され、表側凸部２ｃの突出量と裏側凸部３ｃの突出量が略同じであるため、保持台１の後端部１ｂには、左右方向に延びる略円筒状の空洞部４が形成されることとなる。このような空洞部４には、対象物（図示せず）の使用に供するものが収容される。
【００３４】
前側連続部５は、保持台１の左右方向に延在する平板状の矩形部材であり、その前端部５ａには、壁部７が突出形成され、その後端部５ｂには、表側保持部２の前端部２ａと裏側保持部３の前端部３ａがそれぞれ連結されている。
前側連続部５は、保持台１の表側を上向きにして設置面に設置したときには、その表側に対象物（図示せず）の前端部（図示せず）が載置され、保持台１の裏側を上向きにして設置面に設置したときには、その裏側に対象物（図示せず）の前端部（図示せず）が載置されるようになっている。ここで、設置面とは、例えば、デスクなどの平坦な面を指すものとするが、使用者の膝の上等も含めるものとする。
【００３５】
後側連続部６は、保持台１の左右方向に延在する平板状の矩形部材であり、その前端部６ａには、表側保持部２の後端部２ｂと裏側保持部３の後端部３ｂがそれぞれ連結されている。なお、後側連続部６は、前側連続部５よりも幅狭に形成されている。
【００３６】
このような表側保持部２と、裏側保持部３と、空洞部４と、前側連続部５と、後側連続部６と、により保持台の基台部分が構成されている。
【００３７】
壁部７は、前側連続部５の前端部５ａから突出形成される部材であり、表側壁部８と裏側壁部９を有して構成されている。
図１及び図３（ａ）、（ｃ）に示すように、表側壁部８は、前側連続部５の前端部５ａから保持台１の表側に向かって、突出量ｈ１だけ突出して形成される小片部材であり、前側連続部５の前端部５ａの左右方向に、切欠部５ａ１を介在させて複数形成されている。また、表側壁部８は、その先端部８ａ１を保持台１の後方に向かって折り返すことにより、前壁部８ａ、円弧状の頂部８ｂ及び後壁部８ｃが形成されている。
【００３８】
図１及び図３（ａ）、（ｂ）に示すように、裏側壁部９は、前側連続部５の前端部５ａから保持台１の裏側に向かって突出量ｈ２だけ突出して形成される小片部材であり、前側連続部５の前端部５ａの左右方向に、表側壁部８と交互に複数形成される。裏側壁部９は、その先端部９ａ１を保持台１の前方に向かって折り返すことにより、前壁部９ａ、円弧状の頂部９ｂ及び後壁部９ｃが形成されている。
【００３９】
ここで、図３（ａ）に示すように、表側壁部８の突出量ｈ１は、裏側壁部９の突出量ｈ２よりも大きい。
【００４０】
このように構成される壁部７は、例えば、前側連続部５の切欠部５ａ１の両側の小片部材（特許請求の範囲における「舌片」に相当する。）の一方を、基端部から表側に折り曲げると共に、先端部を前方へ折り返すことで表側壁部８が形成され、他方を、基端部から裏側に折り曲げると共に、先端部を前方へ折り返すことにより裏側壁部９が形成されている。なお、表側壁部８よりも裏側壁部９の折り返し量を大きくすることで、表側壁部８の突出量ｈ１を裏側壁部９の突出量ｈ２よりも大きく形成している。
【００４１】
以上のように構成される本実施形態に係る保持台１は、前端側１ａよりも後端側１ｂの厚さ寸法が大きく形成されている。すなわち、本実施形態において、表側壁部８の頂部８ｂから裏側壁部９の頂部９ｂまでの厚さ寸法ｈ３よりも、表側凸部２ｃの頂部２ｃ１から裏側凸部３ｃの頂部３ｃ１までの厚さ寸法ｈ４が大きく形成されている。
【００４２】
このように構成することで、保持台１の表側を下向きにして設置面に設置したときと、保持台１の裏側を下向きにして設置面に設置したときとで、設置面に対する保持台１の傾斜角度を変えている。より詳しくは、表側凸部２ｃと裏側凸部３ｃの突出量を略同じとし、裏側壁部９の突出量ｈ２よりも表側壁部８の突出量ｈ１を大きくしているため、保持台１の裏側を下向きにして設置面に設置したときよりも、保持台１の表側を下向きにして設置面に設置したときの方が、保持台１の基台部分の設置面に対する傾斜角度が大きくなる。
【００４３】
このような保持台１は、表側保持部２と、裏側保持部３と、空洞部４と、貫通孔１０と、前側連続部５と、後側連続部６と、壁部７と、が、一枚の板状部材にプレス加工や折り曲げ加工を施すことにより製造される。なお、板状部材としては、アルミニウムやスチール等の金属製の板状部材を用いることが好ましい。これにより、加工が容易となり、保持台１の成形が容易となると共に、保持台１を軽量化することができる。さらに、板取を小さくすることができるため、製造コストを低減することができる。
【００４４】
また、保持台１は、その周囲を被覆する合成樹脂部材（図示せず）を有していても良い。合成樹脂部材としては、例えば、合成ゴム等を用いることが好ましい。
【００４５】
次に、本実施形態に係る保持台１を用いて対象物を保持する様子を説明する。参照する図４は、本実施形態に係る保持台の表側で対象物を保持した状態を示す側面図、図５は、本実施形態に係る保持台の裏側で対象物を保持した状態を示す側面図、図６（ａ）は、図４における保持台の空洞部にフレキシブルライトを収容した様子を示す図、（ｂ）は、図５における保持台の空洞部にフレキシブルライトを収容した様子を示す図である。
【００４６】
なお、以下では、対象物の一例として、ノートパソコン２０を用いて説明する。ここで、ノートパソコン２０は、キーボード部２１と、キーボード部２１の後端側に、ヒンジ等の接続部材２３を介して所定角度回動自在に連結されるモニタ部２２と、を主に備える。ノートパソコン２０は、非使用時には、モニタ部２２がキーボード部２１と略水平に重畳され、使用時には、モニタ部２２が、キーボード部２１と離間する方向に回動し、キーボード部２２に対して略垂直状態となる全開状態となる。
【００４７】
ここで、保持台１は、表裏両面でノートパソコン２０を保持することができる。
まず、保持台１の表側でノートパソコン２０を保持する場合について説明する。
図４に示すように、保持台１の裏側を下向きにして設置面Ｓに設置すると、裏側壁部９の頂部９ｂ付近で設置面Ｓと当接して保持台１の前端側１ａを支持すると共に、裏側凸部３ｃの頂部３ｃ１付近で設置面Ｓと当接して保持台１の後端側１ａを支持する。
【００４８】
この状態で、保持台１の表側にノートパソコン２０を載置すると、主に、保持台１の表側凸部２ｃの頂部２ｃ１と、前側連続部５と、によりキーボード部２１の底面部２１ｂと当接してノートパソコン２０を支持すると共に、表側壁部８の後壁面８ｃでキーボード部２１の前面部２１ａと当接して、ノートパソコン２０が前方へ移動しないよう制止する。このようにして、保持台１の表側でノートパソコン２０を保持する。なお、キーボード部２１の底面部２１ｂがノートパソコン２０の底面部となる。
【００４９】
本実施形態では、保持台１の裏側を下向きにして設置面Ｓに設置したときに、設置面Ｓとキーボード部２１の底面部２１ｂとがなす角度θ１が１２°となるように、裏側壁部９の突出量ｈ２を調節している。このため、保持台１上のキーボード部２１は、設置面Ｓに対して略１２°上向きに傾斜し、これに伴い、キーボード部２１のキートップの位置を、その後端側から前端側に向かうにつれて徐々に低くなる階段状に配置することができる。
【００５０】
一方、保持台１の裏側でノートパソコン２０を保持する場合について説明する。
図５に示すように、保持台１の表側を下向きにして設置面Ｓに設置すると、表側壁部８の頂部８ｂ付近で設置面Ｓと当接して保持台１の前端側１ａを支持すると共に、表側凸部２ｃの頂部２ｃ１付近で設置面Ｓと当接して保持台１の後端側１ｂを支持する。
【００５１】
この状態で、保持台１の裏側に、ノートパソコン２０を載置すると、主に、保持台１の裏側凸部３ｃの頂部３ｃ1と、前側連続部５と、によりキーボード部２１の底面部２１ｂと当接してノートパソコン２０を支持すると共に、裏側壁部９の後壁面９ｃでキーボード部２１の前面部２１ａと当接してノートパソコン２０が前方へ移動しないよう制止する。このようにして、保持台１の裏側でノートパソコン２０を保持する。
【００５２】
本実施形態では、保持台１の裏側を上向きにして設置面Ｓに設置したときに、設置面Ｓとキーボード部２１の底面部２１ｂとがなす角度θ２が８°となるように表側壁部８の突出量ｈ１を調節しているため、保持台１上のキーボード部２１は、設置面Ｓに対して略８°上向きに傾斜する。したがって、保持台１の表側で保持したときよりも、保持台１の裏側で保持したときの方が、キーボード部２１の前端側と後端側の高さ位置の差が小さくなり、これにより、保持台１の表側で保持した場合に比べて、キーボード部２１の底面部２１ｃの傾斜を緩やかにすることができる。
【００５３】
なお、図６（ａ）、（ｂ）に示すように、保持台１の表裏いずれかの面でノートパソコン２０を保持する場合に、空洞部４内にフレキシブルライト３０を収容しても良い。フレキシブルライト３０は、例えば、バッテリ３１と、バッテリ３１の一端側から延びる支持ケーブル３２と、支持ケーブル３２の自由端側に接続されるライト部３３と、を有して構成される。このようなフレキシブルライト３０のバッテリ３１を空洞部４内に収容し、支持ケーブル３２でライト部３２の位置を調節することで、使用者の手元やモニタを照らしながら操作を行うことができ、十分な照明器具が備えられていない車内等においても、使い勝手が良好となり、操作性を向上させることができる。また、フレキシブルライト３０に替えて、空洞部４内に、ノートパソコン２０用の予備のバッテリ（図示せず）等を収容しても良い。
【００５４】
以上のように、本実施形態に係る保持台１によれば、保持台１の表裏いずれの面でも対象物（ノートパソコン２０）を傾斜した状態で保持することができ、また、保持台１の表側で保持する場合と裏側で保持する場合とで、対象物（ノートパソコン２０）の傾斜角度を変えることができる。このため、対象物の種類や使用場所・使用状況の変化に応じて、保持台１の表裏を使い分けることができ、利便性を向上させることができる。また、保持台１の厚みの分、使用時に、ノートパソコン２０のモニタ部２２の設置面Ｓからの高さを増やすことができるため、モニタ部２２の高さを使用者の目の高さに近づけることができ、使用者が楽な姿勢でモニタ上（図示せず）の文書等を閲覧することが可能となる。
【００５５】
また、本実施形態の保持台１は、一枚の板状部材を加工して製造することができるため、構成を簡素化することができ、製造する際の負担を軽減することができる。また、保持台が軽量かつ小型となり、持ち運びが容易となることに加え、省スペースを図ることができる。また、部品点数を削減することができ、製造コストを低減することができる。
【００５６】
また、本実施形態に係る保持台１によれば、後端側１ｂに、左右方向に連続する空洞部４が形成されることに加え、表側保持部２と裏側保持部３の間に貫通孔１０を有するため、ノートパソコン２０の熱を効率良く、放熱することができる。
【００５７】
さらには、保持台１の表側でノートパソコン２０を保持するときは、保持台１の表側の基台部分とノートパソコン２０の底面部２１ｂとの間に隙間Ｏ１を形成し、設置面Ｓと保持台の裏側の基台部分との間に隙間Ｏ２を形成することができるため、ノートパソコン２０の熱をさらに効率良く、放熱することができる。
また、保持台１の裏側でノートパソコン２０を保持するときは、保持台１の裏側の基台部分とノートパソコン２０の底面部２１ｂとの間に隙間Ｏ３を形成し、設置面Ｓと保持台の表側の基台部分との間に隙間Ｏ４を形成することができるため、ノートパソコン２０の熱をさらに効率良く、放熱することができる。
【００５８】
なお、本実施形態では、対象物の一例としてノートパソコン２０を用いて説明したが、これに限定されるものではなく、電子辞書や本等でも同様な作用効果を得ることができることはもちろんである。
【００５９】
以上、本発明の実施形態について説明したが、本発明は本実施形態に限定されるものではない。本実施形態では、表側保持部２の後端側に表側凸部２ｃを形成すると共に、裏側保持部３の後端側に裏側凸部３ｃを設けて、保持台１の前端側１ａよりも後端側１ｂの厚さ寸法を大きく形成したが、これに限定されるものではなく、保持台１の前端側１ａから後端側１ｂにかけて直線的に形成することにより、断面視略三角形状としても良い。
【００６０】
本実施形態では、一枚の板状部材を加工して保持台１を製造したが、これに限定されるものではなく、前端側よりも後端側の厚さ寸法を厚くした厚板を用いて製造しても良いことはもちろんである。この場合、空洞部は、後端側の左右方向に貫通孔を設けることにより形成することができる。また、壁部は、厚板の前縁部に沿って薄板を取り付けること等により形成することができる。このとき、薄板は、前縁部から表側に突出する量よりも裏側に突出する量の方が大きくなるように高さ位置を調整して取り付ける。
【００６１】
本実施形態では、一枚の板状部材を加工して保持台１を製造したが、これに限定されるものではなく、複数の板状部材を連結して構成しても良い。
【００６２】
本実施形態では、アルミニウムやスチール等の金属製の板状部材にプレス加工や折り曲げ加工などを施して保持台１を製造したが、これに限定されるものではなく、プラスチック等を用いて金型により製造しても良い。
【００６３】
本実施形態では、保持台１の裏側を下向きにして設置面Ｓに設置したときに、設置面Ｓとキーボード部２１の底面部２１ｂとがなす角度θ１が１２°となるように、裏側壁部９の突出量ｈ２を設定し、一方、保持台１の裏側を上向きにして設置面Ｓに設置したときに、設置面Ｓとキーボード部２１の底面部２１ｂとがなす角度θ２が８°となるように表側壁部８の突出量ｈ１を設定したが、これに限られるものではなく、設置面Ｓに対する対象物の傾斜角度を１°から２０°、好ましくは、５°から１２°の間で設定することができる。傾斜角度を５°から１２°の間で設定することにより、使用者の手首が不自然に曲がらず、略まっすぐな状態となるため、使用者の手や腕への負担を軽減することができる。
【００６４】
例えば、保持台１の裏側を下向きにして設置面Ｓに設置し、さらに、設置面Ｓと保持台１の間、又は、保持台１と対象物の間に任意の厚みのスペーサを介在させることにより、９°から１２°の間で傾斜角度を設定しても良い。
また例えば、保持台１の裏側を上向きにして設置面Ｓに設置し、さらに、設置面Ｓと保持台１の間、又は、保持台１と対象物の間に任意の厚みのスペーサを介在させることにより、５°から８°の間で傾斜角度を設定しても良い。
【図面の簡単な説明】
【００６５】
【図１】本実施形態に係る保持台の全体構成を示す斜視図である。
【図２】本実施形態に係る保持台の上面図である。
【図３】（ａ）は、本実施形態に係る保持台の側面図であり、（ｂ）は、図２におけるＡ−Ａ線断面図であり、（ｃ）は、図２におけるＢ−Ｂ線断面図である。
【図４】本実施形態に係る保持台の表側で対象物を保持した状態を示す側面図である。
【図５】本実施形態に係る保持台の裏側で対象物を保持した状態を示す側面図である。
【図６】（ａ）は、図４における保持台の空洞部にフレキシブルライトを収容した様子を示す図、（ｂ）は、図５における保持台の空洞部にフレキシブルライトを収容した様子を示す図である。
【図７】従来のノートパソコン用作業台を示す斜視図である。
【図８】（ａ）は、他の従来のノートパソコン用作業台を示す斜視図、（ｂ）は、（ａ）の内部構造を示す側断面図である。
【符号の説明】
【００６６】
１      保持台
２      表側保持部
２ｃ    表側凸部
３      裏側保持部
３ｃ    裏側凸部
４      空洞部
５      前側連結部
６      後側連結部
７      壁部
８      前側壁部
９      後側壁部
１０    貫通孔
２０      ノートパソコン（対象物）
３０      フレキシブルライト
Ｓ        設置面
ｈ１〜ｈ４  突出量
【図１】
2009212462.tif 000003
【図２】
2009212462.tif 000004
【図３】
2009212462.tif 000005
【図４】
2009212462.tif 000006
【図５】
2009212462.tif 000007
【図６】
2009212462.tif 000008
【図７】
2009212462.tif 000009
【図８】
2009212462.tif 000010